(57)【要約】  【課題】  本考案の目的は、従来からある袋などではなく、小型でかわいらしく、携帯電話、鍵などの取付け可能な御守りを開発することである。  【解決手段】  取付けのためのリングと御守り本体と紐を必須部品として有する御守りにおいて、御守り本体が、立体乃至板状の形状、好ましくは筒状の形状、星型の形状、短冊形の形状の御守り本体であることを特徴とする御守りであって、好ましくは紐とリングを連結するためのリング連結部、及び御守り本体の位置を安定化させるための、貫通した穴を有する位置決め体を追加していることを特徴とする御守りである。そして、紐は、両端を重ねて二重とし、円筒状の御守り本体の中空部を貫通しており、位置決め体には、貫通する穴があり、紐が二重になって貫通しており、該位置決め体は、リング連結部と御守り本体の間、リング連結部と反対側の御守り本体の端にあることを特徴とする御守り。  【選択図】  図１
0003108372.tif 000002
【実用新案登録請求の範囲】
【請求項１】
取付けのためのリングと御守り本体と紐を必須部品として有する御守りにおいて、御守り本体が、立体乃至板状の形状の御守り本体であることを特徴とする御守り。
【請求項２】
請求項１の御守りにおいて、紐とリングを連結するためのリング連結部、及び御守り本体の位置を安定化させるための、貫通した穴を有する位置決め体を追加していることを特徴とする御守り。
【請求項３】
請求項１、請求項２の御守りにおいて、紐は、両端を重ねて二重とし、円筒状の御守り本体の中空部を貫通していることを特徴とする御守り。
【請求項４】
請求項１、請求項２の御守りにおいて、リングと紐を連結のため、筒状のリング連結具を用い、該リング連結具に貫通する穴をあけ、この穴にリングを通してリングとリング連結具をつなぎ、次に該リング連結部の筒の端に紐をつなぐことにより、紐とリングを連結することを特徴とする御守り。
【請求項５】
請求項２の御守において、位置決め体には、一つ乃至二つの貫通する穴があり、紐が貫通しており、該位置決め体は、リング連結部と御守り本体の間、リング連結部と反対側の御守り本体の端にあることを特徴とする御守り。
【請求項６】
請求項１〜５の御守りにおいて、御守り本体の立体形状乃至平板状形状として筒型の形状、星型の形状、短冊形の形状であることを特徴とする御守り。
【請求項７】
請求項１〜５の御守りにおいて、御守り本体の筒の断面形状が円形乃至楕円形であることを特徴とする御守り。
【請求項８】
請求項４において、筒状のリンク連結具の断面形状が円形であることを特徴とする御守り。
【請求項９】
請求項４において、筒状のリンク連結具の断面形状が楕円形であることを特徴とする御守り。    
【考案の詳細な説明】
【技術分野】
【０００１】
本考案は、御守に関するものであり更に詳しくは、筒状の筒を御守り本体とする御守りに関する。
【背景技術】
【０００２】
御守は、従来、「交通安全」、「家内安全」、「学業成就」などのお札を、刺繍した布製袋に収納したものが一般的であった。
しかしながら、
１．近年刺繍を行なう人員の確保が困難になり、製作に手間暇がかかるため、コスト高になり、価格も高価な一定の価格帯に限定されてしまう欠点がある。
２．交通安全、家内安全、学業成就など従来からの願い以外に、幸福をもたらす御守など範囲をひろげる要請がある。
３．従来の刺繍などを施した袋の中に御守り本体を収納する御守り以外に、携帯電話や鍵など、最近の日常生活に密接な物品に取り付けやすい形体にするなど商品形態の範囲を拡大したいとの要請がある。
４．特に近年、従来の形状にとらわれず、小型でかわいらしい物品が好まれる傾向にある。
【０００３】
そこで、本考案者は、筒形の御守り本体を用いる御守りに着目した。
従来、御守り及び類似品に関する例として、御守りのついた携帯電話ストラップの例がある（特許文献１）しかし、その形状は単に携帯電話に取り付けた紐に御守りをつなぐのみの形状であり、携帯電話以外への応用は困難である欠点がある。
【０００４】
【特許文献１】実用新案登録第３０６０９３７号公報
【考案の開示】
【考案が解決しようとする課題】
【０００５】
本考案は、従来からある袋などではなく、小型でかわいらしく、携帯電話、鍵などの取付け可能な御守りを開発することである。
【課題を解決するための手段】
【０００６】
本考案は、
（１）取付けのためのリングと御守り本体と紐を必須部品として有する御守りにおいて、御守り本体が、立体乃至板状の形状の御守り本体であることを特徴とする、
（２）  （１）の御守りにおいて、紐とリングを連結するためのリング連結部、及び御守り本体の位置を安定化させるための、貫通した穴を有する位置決め体を追加していることを特徴とする、
（３）  （１）、（２）の御守りにおいて、紐は、両端を重ねて二重とし、円筒状の御守り本体の中空部を貫通していることを特徴とする、
（４）  （１）、（２）の御守りにおいて、リングと紐を連結のため、円筒状のリング連結具を用い、該リング連結具に貫通する穴をあけ、この穴にリングを通してリングとリング連結具をつなぎ、次に該リング連結部の円筒の端に紐をつなぐことにより、紐とリングを連結することを特徴とする、
（５）の御守において、位置決め体には、一つ乃至二つの貫通する穴があり、紐が貫通しており、該位置決め体は、リング連結部と御守り本体の間、リング連結部と反対側の御守り本体の端にあることを特徴とする
（６）  （１）〜（５）の御守りにおいて、御守り本体の立体形状乃至平板状形状として筒型の形状、星型の形状、短冊形の形状であることを特徴とする、
（７）  （１）〜（５）の御守りにおいて、御守り本体の筒の断面形状が楕円形であることを特徴とする、
（８）  （４）において、筒状のリンク連結具の断面形状が円形であることを特徴とする、
（９）  （４）において、筒状のリンク連結具の断面形状が楕円形であることを特徴とする。    
【０００７】
本考案で用いる紐とは、絹、ポリエステル繊維やナイロンからなるフィラメントを撚糸することで得られる。
【０００８】
本考案で御守り本体は、ナイロン、ポリエステル、ポリスチレン、ＡＢＳ樹脂、ポリエチレン、ポリプロピレンなどのプラスチックス、真鍮、銅、アルミニュームなどの金属から製造される。そして御守り本体の表面には、メッキ、塗装などの方式により、文字、画像が描かれている。文字としては、御守、家内安全、学業成就、交通安全の文字など御守り本体であることを示す文字である。
【０００９】
御守り本体の形状は立体形状乃至平板状形状であり、外見上御守り本体として認識される形状であればよく、具体的には、筒型の形状、星型の形状、短冊形の形状などをあげることができる。筒状の形状の場合は、その断面は、円形乃至楕円形が好ましい。円形乃至楕円形が製作が容易であるからである。断面を四角形、六角形などとすることも可能であるが、円形、楕円形より製作が一般に不利であるからである。
【００１０】
本考案で用いるリングは、好ましくは、真鍮、ステンレスなどの金属から製作される。また本考案で使用されるリング連結具は、真鍮、ステンレスで作製された筒が使用される。リング連結部には、円筒の中心軸と直角の方向に貫通孔が開けられ、この貫通孔にリングを通すことでリングとリング連結具が連結される。
【００１１】
紐は二重にして用いられる。二重にした方が、二重の紐の中心を軸として、左右対称となり外観が優れているからである。また二重にすれば紐は拡がろうとする傾向があるため、紐は位置きめ体の穴を通り難くなり位置決めが円滑に行われる。
【００１２】
本考案で用いる位置決め体の形状は好ましくは球状、楕円球状乃至円盤状である。位置決め体は紐を通すための貫通した一つ乃至二つの穴を有する。ナイロン、ポリエステル、ポリスチレン、ＡＢＳ樹脂、ポリエチレン、ポリプロピレンなどのプラスチックス、真鍮、銅、アルミニュームなどの金属から製造し、紐を通すための穴を開けることで製作される。位置決め体の一つの形体は二つの穴を有する位置決め体Ａであり、別の形体は一つの穴を有する位置決め体Ｂである。位置決め体Ａは、各々の穴に紐の別々の端を通す。位置決め体Ｂは、一つの穴に、二重にした紐を通す。
【００１３】
本考案で用いる位置決め体Ｂは、複数であることが好ましく、御守り本体の前後に設置される。位置決め体の一つは、御守り本体とリング連結部との間に挿入する。位置決め体の他の一つは、リング連結部と反対側の御守り本体の端に取り付ける。位置決め体の貫通している穴の直径と紐の太さを合わせることにより、位置決め体に、力を加えない限り移動しないようにして位置決めが行われる。
【００１４】
位置決め体として二つの穴を有する位置決め体を用いる場合は、一つの穴に二重にした紐の一方を通し、もう一つの穴に別の紐を通す。一つの穴を有する位置決め体と二つの穴を有する位置決め体を併用することにより効率的な位置決めが行われる。
【考案を実施するための最良の形態】
【００１５】
以下に、本考案の具体的な構成について、図面を参照しながら説明する。
図１は、三個の位置決め体を使用した本考案の御守りの正面図である。
ナイロン製紐１の一方の端を二個の穴を有する位置決め体Ａ５の一方の端を通し、別の一方の端を位置決め体Ａ５の一方の穴を通す。次に、紐の両端を合わせ、一つの穴を有する位置決め体Ｂ６の穴を通す。更に御守り本体２、位置決め体Ｂ６をつなぐ。
【００１６】
別に、円筒に、軸に直角に貫通穴を有するリング連結具４を準備し、該貫通穴に針金を通し所望の長さで切断し、リング３を形成する。リング連結具４の一方の端に、前記位置決め体までを通した紐の端を挿入し、挿入した紐の端が脱落しないように蓋をかぶせて、三個の位置決め体を有する御守りが完成する。
【００１７】
図２は、二個の位置決め体を使用した本考案の御守りの正面図である。
ナイロン製紐１の両端を合わせ、一つの穴を有する位置決め体Ｂ６の穴を通す。更に御守り本体２、位置決め体Ｂ６をつなぐ。
【００１８】
別に、円筒に、軸に直角に貫通穴を有するリング連結具４を準備し、該貫通穴に針金を通し所望の長さで切断し、リング３を形成する。リング連結具４の一方の端に、前記位置決め体を通した紐の端を挿入し、挿入した紐の端が脱落しないように蓋をかぶせて、二個の位置決め体を有する御守りが完成する。
【００１９】
以上の説明で明らかにした様に、本考案による御守によれば以下に列記したような実用上の優れた効果が得られる。
（ａ）従来にない形体で、小型でかわいらしい形体である。
（ｂ）御守りの一方の先端にリング、他方の先端に紐があり、鍵や携帯電話に容易に取り付けることができる。
（ｃ）小型であるため、財布、鞄、ポケットに容易に収納することができる。
（ｄ）刺繍など手間のかかる工程がなく、コストダウンが可能となったため、従来の御守とは異なった小間物の分野に進出可能となった。
【図面の簡単な説明】
【００２０】
【図１】三個の位置決め体を使用した本考案の御守りの正面図である。
【図２】二個の位置決め体を使用した本考案の御守りの正面図である
【符号の説明】
【００２１】
１      紐
２      御守り本体
３      リング
４      リング連結具
５      位置決め体Ａ
６      位置決め体Ｂ
【図１】
0003108372.tif 000003
【図２】
0003108372.tif 000004